【手続補正書】
【提出日】平成17年5月12日(2005.5.12)
【手続補正１】
【補正対象書類名】特許請求の範囲
【補正対象項目名】全文
【補正方法】変更
【補正の内容】
【特許請求の範囲】
【請求項１】
４５重量％から８０重量％のテトラフルオロエチレンと、１０重量％から４０重量％のプロピレンと、０．１重量％から１５重量％の３，３，３−トリフルオロプロペン−１硬化サイトモノマーとの共重合単位を含む特殊フルオロエラストマー。
【請求項２】
Ａ）４５重量％から８０重量％のテトラフルオロエチレンと、１０重量％から４０重量％のプロピレンと、ｉ）トリフルオロエチレン、ｉｉ）３，３，３−トリフルオロプロペン−１、ｉｉｉ）１，２，３，３，３−ペンタフルオロプロピレン、ｉｖ）１，１，３，３，３−ペンタフルオロプロピレン、およびｖ）２，３，３，３−テトラフルオロプロペンからなる群より選択される０．１重量％から１５重量％の硬化サイトモノマーとの共重合単位を含む特殊フルオロエラストマーと、
Ｂ）フルオロエラストマー１００部に対して０．１重量部から２０重量部のポリヒドロキシ硬化剤と、
Ｃ）フルオロエラストマー１００部に対して１重量部から３０重量部の酸受容体と、
Ｄ）フルオロエラストマー１００部に対して０．１重量部から２０重量部の加硫促進剤とを含むことを特徴とする硬化性フルオロエラストマー組成物。
【請求項３】
Ａ）４５重量％から８０重量％のテトラフルオロエチレンと、１０重量％から４０重量％のプロピレンと、ｉ）トリフルオロエチレン、ｉｉ）３，３，３−トリフルオロプロペン−１、ｉｉｉ）１，２，３，３，３−ペンタフルオロプロピレン、ｉｖ）１，１，３，３，３−ペンタフルオロプロピレンおよびｖ）２，３，３，３−テトラフルオロプロペンからなる群より選択される０．１重量％から１５重量％の硬化サイトモノマーとの共重合単位を含む特殊フルオロエラストマーと、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群より選択される化合物と、
Ｃ）酸受容体とを含むことを特徴とする、硬化性フルオロエラストマー組成物。
【手続補正２】
【補正対象書類名】明細書
【補正対象項目名】００６５
【補正方法】変更
【補正の内容】
【００６５】
【表１】
2004526047.tif 000001
本発明は、好ましくは、以下の実施態様を含むものである。
１．４５重量％から８０重量％のテトラフルオロエチレンと、１０重量％から４０重量％のプロピレンと、０．１重量％から１５重量％の３，３，３−トリフルオロプロペン−１硬化サイトモノマーとの共重合単位を含む特殊フルオロエラストマー。
２．前記テトラフルオロエチレンの共重合単位が６５重量％と７８重量％との間の量で存在し、前記プロピレンの共重合単位が１５重量％と２５重量％との間の量で存在し、かつ前記３，３，３−トリフルオロプロペン−１硬化サイトモノマーの共重合単位が２重量％と１０重量％との間の量で存在することを特徴とする前記１に記載の特殊フルオロエラストマー。
３．２重量％と２０重量％との間の量で存在するフッ化ビニリデンの共重合単位をさらに含むことを特徴とする前記２に記載の特殊フルオロエラストマー。
４．Ａ）４５重量％から８０重量％のテトラフルオロエチレンと、１０重量％から４０重量％のプロピレンと、ｉ）トリフルオロエチレン、ｉｉ）３，３，３−トリフルオロプロペン−１、ｉｉｉ）１，２，３，３，３−ペンタフルオロプロピレン、ｉｖ）１，１，３，３，３−ペンタフルオロプロピレン、およびｖ）２，３，３，３−テトラフルオロプロペンからなる群より選択される０．１重量％から１５重量％の硬化サイトモノマーとの共重合単位を含む特殊フルオロエラストマーと、
Ｂ）フルオロエラストマー１００部に対して０．１重量部から２０重量部のポリヒドロキシ硬化剤と、
Ｃ）フルオロエラストマー１００部に対して１重量部から３０重量部の酸受容体と、
Ｄ）フルオロエラストマー１００部に対して０．１重量部から２０重量部の加硫促進剤とを含むことを特徴とする硬化性フルオロエラストマー組成物。
５．前記特殊フルオロエラストマーが、６５重量％と７８重量％との間の量で存在するテトラフルオロエチレンの共重合単位と、１５重量％と２５重量％との間の量のプロピレンの共重合単位と、２重量％と１０重量％との間の量の硬化サイトモノマーの共重合単位とを含むことを特徴とする前記４に記載の硬化性フルオロエラストマー組成物。
６．前記硬化サイトモノマーが３，３，３−トリフルオロプロペン−１であることを特徴とする前記５に記載の硬化性フルオロエラストマー組成物。
７．前記特殊フルオロエラストマーが、２重量％と２０重量％との間の量で存在するフッ化ビニリデンの共重合単位をさらに含むことを特徴とする前記４に記載の硬化性フルオロエラストマー組成物。
８．Ｅ）フルオロエラストマー１００部に対して０．２重量部から７重量部の有機ペルオキシドと、Ｆ）フルオロエラストマー１００部に対して０．１重量部から１０重量部の多官能性助剤とをさらに含むことを特徴とする前記４に記載の硬化性フルオロエラストマー組成物。
９．前記ポリヒドロキシ硬化剤Ｂが、
ｉ）ジヒドロキシ−、トリヒドロキシ−およびテトラヒドロキシ−ベンゼン、−ナフタレン、および−アントラセン、
ｉｉ）次式
【化１】
2004526047.tif 000002
（式中、Ａは安定な二価ラジカルであり、ｘは０または１であり、かつｎは１または２である）で表されるビスフェノール、
ｉｉｉ）前記ビスフェノールのジアルカリ塩、
ｉｖ）前記ビスフェノールの第四級アンモニウムおよびホスホニウム塩、ｖ）前記ビスフェノールの第三級スルホニウム塩ならびに
ｖｉ）フェノールのエステルからなる群より選択される硬化剤であることを特徴とする前記４に記載の硬化性フルオロエラストマー組成物。
１０．前記加硫促進剤Ｄが、第四級アンモニウム塩、第三級スルホニウム塩および第四級ホスホニウム塩からなる群より選択されることを特徴とする前記４に記載の硬化性フルオロエラストマー組成物。
１１．前記硬化促進剤Ｄが、ｉ）前記ポリヒドロキシ架橋剤（Ｂ）の第四級アンモニウム塩、ｉｉ）前記ポリヒドロキシ架橋剤（Ｂ）の第四級ホスホニウム塩およびｉｉｉ）前記ポリヒドロキシ架橋剤の第三級スルホニウム塩からなる群より選択されることを特徴とする前記１０に記載の硬化性フルオロエラストマー組成物。
１２．Ａ）４５重量％から８０重量％のテトラフルオロエチレンと、１０重量％から４０重量％のプロピレンと、ｉ）トリフルオロエチレン、ｉｉ）３，３，３−トリフルオロプロペン−１、ｉｉｉ）１，２，３，３，３−ペンタフルオロプロピレン、ｉｖ）１，１，３，３，３−ペンタフルオロプロピレンおよびｖ）２，３，３，３−テトラフルオロプロペンからなる群より選択される０．１重量％から１５重量％の硬化サイトモノマーとの共重合単位を含む特殊フルオロエラストマーと、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群より選択される化合物と、
Ｃ）酸受容体とを含むことを特徴とする、硬化性フルオロエラストマー組成物。
１３．前記特殊フルオロエラストマーが、６５重量％と７８重量％との間の量で存在するテトラフルオロエチレンの共重合単位と、１５重量％と２５重量％との間の量のプロピレンの共重合単位と、２重量％と１０重量％との間の量の硬化サイトモノマーの共重合単位とを含むことを特徴とする前記１２に記載の硬化性フルオロエラストマー組成物。
１４．前記硬化サイトモノマーが３，３，３−トリフルオロプロペン−１であることを特徴とする前記１３に記載の硬化性フルオロエラストマー組成物。
１５．前記特殊フルオロエラストマーが、２重量％と２０重量％との間の量で存在するフッ化ビニリデンの共重合単位をさらに含むことを特徴とする前記１２に記載の硬化性フルオロエラストマー組成物。
１６．Ｅ）フルオロエラストマー１００部に対して０．２重量部から７重量部の有機ペルオキシドと、Ｆ）フルオロエラストマー１００部に対して０．１重量部から１０重量部の多官能性助剤とをさらに含むことを特徴とする前記１２に記載の硬化性フルオロエラストマー組成物。
１７．前記ビスフェノールの第四級アンモニウム塩が、ａ）テトラプロピルアンモニウム／ビスフェノールＡＦ塩、ｂ）メチルトリブチルアンモニウム／ビスフェノールＡＦ塩、およびｃ）テトラブチルアンモニウム／ビスフェノールＡＦ塩からなる群より選択されることを特徴とする前記１２に記載の硬化性フルオロエラストマー組成物。
１８．前記ビスフェノールの第四級アンモニウム塩が、モル比１：１の第四級アンモニウム化合物とビスフェノールＡＦとの塩であることを特徴とする前記１２に記載の硬化性フルオロエラストマー組成物。